(57)【特許請求の範囲】
【請求項１】
被記録媒体を支持する支持部を筐体から突出させて印刷する印刷機能を実行する画像形成装置であって、
各種情報を表示する表示部と、
ユーザによる入力操作が可能な操作部と、
印刷データを記憶する印刷データ記憶部と、
前記印刷機能の実行指示を受け付ける実行指示受付手段と、
前記実行指示受付手段により実行指示を受け付けた場合に、筐体背面から後方に前記支持部を前記筐体から突出させるための領域を確保させるように案内する領域確保情報を前記表示部に表示する領域確保表示手段と、
前記領域確保表示手段により前記領域確保情報が前記表示部に表示されたことを条件として、前記所定の領域が確保されたか否かを判断する領域判断手段と、
前記領域判断手段により前記所定の領域が確保されたと判断された場合、前記実行指示に基づく印刷に関する設定情報を設定するための印刷設定画面を前記表示部に表示する設定表示手段と、
前記設定表示手段により表示された前記印刷設定画面に基づいて、前記操作部からの入力により前記実行指示に基づく印刷に関する設定情報が設定されたか否かを判断する設定判断手段と、
前記設定判断手段により前記設定情報が設定されたと判断された場合、前記印刷データ記憶部に記憶された印刷データに従う印刷を実行する印刷手段と、
を備えることを特徴とする画像形成装置。
【請求項２】
前記実行指示受付手段は、前記実行指示を指示するための初期画面が前記表示部に表示されたことを条件として、前記操作部からの入力により前記実行指示を受け付け、
前記操作部からの入力を検出する検出手段と、
前記検出手段により前記操作部からの入力が検出されてから所定時間以内に、前記検出手段により前記操作部からの入力が検出されない場合、前記初期画面を前記表示部に表示する表示制御手段と、
を備えることを特徴とする請求項１に記載の画像形成装置。
【請求項３】
原稿を載置する原稿載置部と、
前記領域判断手段により前記所定の領域が確保されたと判断された場合、前記原稿載置部に前記原稿を載置させるように案内する載置情報を前記表示部に表示する載置表示手段と、
前記載置表示手段により前記載置情報が前記表示部に表示されたことを条件として、前記原稿載置部に前記原稿が載置されたか否かを判断する載置判断手段と、
前記載置判断手段により前記原稿が前記原稿載置部に載置されたと判断された場合、当該原稿を読み取り、読み取った原稿に基づいて印刷データを生成する印刷データ生成手段と、
前記印刷データ生成手段により生成された印刷データを前記印刷データ記憶部に記憶する記憶制御手段と、
を備えることを特徴とする請求項１または２に記載の画像形成装置。
【請求項４】
画像データを取得する取得手段を備え、
前記実行指示に基づく印刷に関する設定情報は、前記被記録媒体に関する第１設定情報と、前記取得手段により取得された画像データから印刷データを生成するための第２設定情報とを有し、
前記設定表示手段は、
前記領域判断手段により前記所定の領域が確保されたと判断された場合、前記第１設定情報を設定するための第１印刷設定画面を前記表示部に表示する第１設定表示手段と、
前記取得手段により前記画像データが取得されたことを条件として、前記第２設定情報を設定するための第２印刷設定画面を前記表示部に表示する第２設定表示手段とを含み、
前記設定判断手段は、前記第１設定表示手段により表示された前記第１印刷設定画面に基づいて、前記操作部からの入力により前記第１設定情報が設定されたか否かを判断する第１設定判断手段を含み、
前記載置表示手段は、前記第１設定判断手段により前記第１設定情報が設定されたと判断された場合、前記載置情報を前記表示部に表示することを特徴とする請求項１〜３のいずれかに記載の画像形成装置。
【請求項５】
前記被記録媒体は印刷可能なレーベル面を有する光ディスク媒体であり、
前記光ディスク媒体を支持する支持部を筐体から突出させて、前記支持部に支持された光ディスク媒体のレーベル面に印刷することを特徴とする請求項１〜４のいずれかに記載の画像形成装置。
【発明の詳細な説明】
【技術分野】
【０００１】
本発明は、被記録媒体を支持する支持部を筐体から突出させて印刷することが可能な画像形成装置に関する。
【背景技術】
【０００２】
従来から、例えば、ＣＤ−Ｒ、ＤＶＤ−Ｒなどの光ディスク媒体のレーベル面に対して印刷可能な画像形成装置が知られている。
【０００３】
このような装置では、入力された画像が表示部に表示され、その画像に基づいて、ユーザ操作により画像サイズや位置などの印刷に関する設定情報が設定される。そして、印刷キーの押下などの所定のユーザ操作を検出した場合に、装置前面に突出したディスクトレイが装置背面側へ搬送され、ディスクトレイに予めセットされた光ディスク媒体のレーベル面への印刷が開始される（例えば、特許文献１）。
【先行技術文献】
【特許文献】
【０００４】
【特許文献１】特開２００７−８８７４４号公報
【発明の概要】
【発明が解決しようとする課題】
【０００５】
近年、画像形成装置の小型化が進んでおり、上記のような画像形成装置において小型化の実現を考慮すると、光ディスク媒体のレーベル面に対する印刷に必要なディスクトレイの搬送量に比べて、画像形成装置の筐体の奥行き方向の長さが短くなり、レーベル面への印刷時にディスクトレイが筐体の背面から突出する場合が考えられる。係る場合、光ディスク媒体のレーベル面に対する印刷を正常に行うためには、筐体の背面に所定の領域を確保する必要があり、筐体の背面に所定の領域を確保させる旨をユーザに案内する領域確保情報を表示することが考えられる。
【０００６】
このような領域確保情報の表示を上述した公知の画像形成装置に適用すると、印刷に関する設定情報が設定された後に領域確保情報が表示される場合が考えられる。係る場合、ユーザは、領域確保情報の表示に基づいて、所定の領域が確保されているかを確認する。その結果、所定の領域が確保されていない場合は、装置を移動させるなどして所定の領域を確保する必要があるが、例えば、画像形成装置が棚などに設置されている場合など、所定の領域の確保が困難な場合が考えられる。係る場合、ユーザ操作などにより印刷ジョブがキャンセルされるため、領域確保情報の表示前に、印刷に関する設定情報を設定するためになされたユーザ操作が無駄になるという問題が生じる。
【０００７】
なお、このような問題は、光ディスク媒体のレーベル面への印刷以外にも生じ得る。例えば、画像形成装置の奥行き方向に平行に設けられた略ストレートな搬送パス（以下、ストレートパスと称す）を使用し、厚紙などの曲げ剛性の高いシート状の被記録媒体に対して印刷を行う場合が考えられる。係る場合、画像形成装置の手差し給紙口から被記録媒体が挿入されると、筐体の奥行き方向に対して手差し給紙口と対向する側に設けられた排紙口までストレートパスに沿って搬送されながら印刷され、排紙口から筐体外へ排出される。一般に、ストレートパスを有する画像形成装置は、排紙口がカバーで覆われており、カバーが開かれた状態において、そのカバーが排紙トレイの役割を担うように構成されているものが多い。ストレートパスを使用して印刷を行う際には、排紙口を覆うカバーを開けて筐体外へ突出させることが可能な所定の領域を、排紙口周辺に確保する必要がある。そのため、ストレートパスを使用した印刷に関する設定情報が設定された後に領域確保情報が表示される場合、上記と同様の問題が生じ得る。
【０００８】
本発明は、上述した問題点を解決するためになされたものであり、被記録媒体を支持する支持部を筐体から突出させて印刷する場合におけるユーザの利便性を向上させることが可能な画像形成装置を提供することを目的とする。
【課題を解決するための手段】
【０００９】
前記目的を達成するために、請求項１に記載の画像形成装置は、被記録媒体を支持する支持部を筐体から突出させて印刷する印刷機能を実行する画像形成装置であって、各種情報を表示する表示部と、ユーザによる入力操作が可能な操作部と、印刷データを記憶する印刷データ記憶部と、前記印刷機能の実行指示を受け付ける実行指示受付手段と、前記実行指示受付手段により実行指示を受け付けた場合に、筐体背面から後方に前記支持部を前記筐体から突出させるための所定の領域を確保させるように案内する領域確保情報を前記表示部に表示する領域確保表示手段と、前記領域確保表示手段により前記領域確保情報が前記表示部に表示されたことを条件として、前記所定の領域が確保されたか否かを判断する領域判断手段と、前記領域判断手段により前記所定の領域が確保されたと判断された場合、前記実行指示に基づく印刷に関する設定情報を設定するための印刷設定画面を前記表示部に表示する設定表示手段と、前記設定表示手段により表示された前記印刷設定画面に基づいて、前記操作部からの入力により前記実行指示に基づく印刷に関する設定情報が設定されたか否かを判断する設定判断手段と、前記設定判断手段により前記設定情報が設定されたと判断された場合、前記印刷データ記憶部に記憶された印刷データに従う印刷を実行する印刷手段と、を備えることを特徴とする。
【００１０】
請求項１に記載の発明によれば、領域確保情報が表示されて所定の領域が確保された後に、印刷に関する設定情報が設定されるため、所定の領域が確保できない事態により印刷ジョブがキャンセルされた場合であっても、印刷に関する設定情報を設定するためのユーザ操作が無駄になることを抑制できる。したがって、被記録媒体を支持する支持部を筐体から突出させて印刷する場合におけるユーザの利便性を向上させることができる。
【００１１】
請求項２の発明は、請求項１に記載の画像形成装置において、前記実行指示受付手段は、前記実行指示を指示するための初期画面が前記表示部に表示されたことを条件として、前記操作部からの入力により前記実行指示を受け付け、前記操作部からの入力を検出する検出手段と、前記検出手段により前記操作部からの入力が検出されてから所定時間以内に、前記検出手段により前記操作部からの入力が検出されない場合、前記初期画面を前記表示部に表示する表示制御手段と、を備えることを特徴とする。
【００１２】
請求項２に記載の発明によれば、操作部からの入力が検出されてから所定時間以内に、操作部からの入力が検出されない場合、印刷機能の実行指示を指示するための初期画面が表示部に表示される。例えば、実行指示を受け付けてから、領域確保情報の表示に基づいて装置を移動させるなどして、所定の領域を確保させるまでに所定時間を超えた場合、表示部の表示が領域確保情報から初期画面に遷移される。係る場合であっても、領域確保情報が表示されて所定の領域が確保されてから印刷に関する設定情報が設定されるため、印刷に関する設定情報を設定するためのユーザ操作が無駄になることを抑制し、ユーザの利便性を向上させることができる。
【００１３】
請求項３に記載の発明は、請求項１または２に記載の画像形成装置において、原稿を載置する原稿載置部と、前記領域判断手段により前記所定の領域が確保されたと判断された場合、前記原稿載置部に前記原稿を載置させるように案内する載置情報を前記表示部に表示する載置表示手段と、前記載置表示手段により前記載置情報が前記表示部に表示されたことを条件として、前記原稿載置部に前記原稿が載置されたか否かを判断する載置判断手段と、前記載置判断手段により前記原稿が前記原稿載置部に載置されたと判断された場合、当該原稿を読み取り、読み取った原稿に基づいて印刷データを生成する印刷データ生成手段と、前記印刷データ生成手段により生成された印刷データを前記印刷データ記憶部に記憶する記憶制御手段と、を備えることを特徴とする。
【００１４】
請求項３に記載の発明によれば、例えば、原稿が原稿載置部に載置されて原稿の読み取りが実行された後に、所定の領域が確保できない事態により印刷ジョブがキャンセルされた場合であっても、原稿の載置に関するユーザ操作及び原稿の読み取りに係る処理が無駄になることを抑制できる。したがって、被記録媒体を支持する支持部を筐体から突出させて印刷する場合におけるユーザの利便性をさらに向上させることができる。
【００１５】
請求項４に記載の発明は、請求項１〜３のいずれかに記載の画像形成装置において、画像データを取得する取得手段を備え、前記実行指示に基づく印刷に関する設定情報は、前記被記録媒体に関する第１設定情報と、前記取得手段により取得された画像データから印刷データを生成するための第２設定情報とを有し、前記設定表示手段は、前記領域判断手段により前記所定の領域が確保されたと判断された場合、前記第１設定情報を設定するための第１印刷設定画面を前記表示部に表示する第１設定表示手段と、前記取得手段により前記画像データが取得されたことを条件として、前記第２設定情報を設定するための第２印刷設定画面を前記表示部に表示する第２設定表示手段とを含み、前記設定判断手段は、前記第１設定表示手段により表示された前記第１印刷設定画面に基づいて、前記操作部からの入力により前記第１設定情報が設定されたか否かを判断する第１設定判断手段を含み、前記載置表示手段は、前記第１設定判断手段により前記第１設定情報が設定されたと判断された場合、前記載置情報を前記表示部に表示することを特徴とする。
【００１６】
一般に、印刷データを生成するための第２設定情報の設定は、被記録媒体に関する第１設定情報の設定に比べて、ユーザ操作が複雑であり、ユーザに係る負荷が大きい。請求項４に記載の発明によれば、領域確保情報が表示された後に第２印刷設定画面が表示されるので、所定の領域の確保の際に印刷ジョブがキャンセルされた場合であっても、第２設定情報を設定するための複雑なユーザ操作が無駄になることを抑制できる。したがって、被記録媒体を支持する支持部を筐体から突出させて印刷する場合におけるユーザの利便性をより向上させることができる。
【００１７】
請求項５に記載の発明は、請求項１〜４のいずれかに記載の画像形成装置において、前記被記録媒体は印刷可能なレーベル面を有する光ディスク媒体であり、前記光ディスク媒体を支持する支持部を筐体から突出させて、前記支持部に支持された光ディスク媒体のレーベル面に印刷することを特徴とする。
【００１８】
一般に、光ディスク媒体のレーベル面への印刷に関する設定情報の設定は、記録用紙への印刷に関する設定情報の設定に比べて、ユーザ操作が複雑であり、ユーザに係る負荷が大きい。請求項５に記載の発明によれば、所定の領域が確保されてから設定情報が設定されるため、所定の領域が確保できない事態により印刷ジョブがキャンセルされた場合であっても、レーベル面への印刷に関する設定情報を設定するための複雑なユーザ操作が無駄になることを抑制できる。したがって、光ディスク媒体を支持する支持部を筐体から突出させて印刷する場合におけるユーザの利便性を向上させることができる。
【図面の簡単な説明】
【００１９】
【図１】本実施形態に係る、レーベル印刷機能実行時のＭＦＰの外観的構成を示した斜視図である。
【図２】ディスクトレイと装置背面との位置関係を模式的に示すＭＦＰの断面図である。
【図３】本実施形態に係るＭＦＰの電気的構成を示すブロック図である。
【図４】ＭＦＰの表示部に表示される画面の一例を示す図である。（Ａ）は待機画面、（Ｂ）は領域確保画面、（Ｃ）は範囲設定画面、（Ｄ）は原稿載置画面、（Ｅ）はプレビュ画面、（Ｆ）はトレイセット画面の一例を示す図である。
【図５】本実施形態におけるレーベル印刷処理を示すフローチャートである。
【発明を実施するための形態】
【００２０】
以下、本発明の実施形態について、添付図面を参照しつつ詳細に説明する。本実施形態では、本発明の画像形成装置として、多機能周辺装置（以下、「ＭＦＰ（Ｍｕｌｔｉ  Ｆｕｎｃｔｉｏｎ  Ｐｅｒｉｐｈｅｒａｌ）」と称す）１０を例に挙げて説明する。ＭＦＰ１０は、プリンタ機能、スキャナ機能、及び、コピー機能などの各種機能を有している。
【００２１】
＜外観的構成＞
本実施形態に係るＭＦＰ１０の外観的構成について、図１を参照して説明する。以下の説明において、図１に示すＭＦＰ１０の手前側を前側とし、矢印左右で示す方向を左右方向（主走査方向）とし、矢印前後で示す方向を前後方向（副走査方向）とし、矢印上下で示す方向を上下方向とする。
【００２２】
本実施形態のＭＦＰ１０は、記録用紙Ｐの他に、例えば、Ｃｏｍｐａｃｔ  Ｄｉｓｃ（以下、「ＣＤ」と称す）、Ｄｉｇｉｔａｌ  Ｖｅｒｓａｔｉｌｅ  Ｄｉｓｃ（以下、「ＤＶＤ」と称す）、及び、Ｂｌｕ−ｒａｙ  Ｄｉｓｃ（登録商標）（以下、「ＢＤ」と称す）などの光ディスク媒体Ｄのレーベル面に画像を印刷するレーベル印刷機能を有している。レーベル印刷機能については後述する。
【００２３】
図１に示すように、ＭＦＰ１０は、主に、下部に設けられるプリンタ部２０と、上部に設けられるスキャナ部３０と、正面上部に設けられる操作キー４０及び表示部５０とを備えている。
【００２４】
プリンタ部２０は、記録用紙Ｐに画像を印刷するインクジェット方式のプリンタで構成されている。プリンタ部２０は、正面に開口部２１が形成されたケーシング２６（本発明の筐体に相当）を有する。開口部２１には、給紙トレイ２２及び排紙トレイ２３が上下２段に設けられている。給紙トレイ２２は、Ａ４サイズ等にカットされた記録用紙Ｐを積載可能に構成されている。排紙トレイ２３は、給紙トレイ２２からプリンタ部２０の内部へ給送されて記録された記録用紙Ｐが排出されるように構成される。プリンタ部２０の内部構成については後述する。
【００２５】
スキャナ部３０は、スキャナ機能及びコピー機能の実行時に原稿を読み取るものであり、Ａ４サイズ、Ａ３サイズなどの複数種類のサイズの原稿の読み取りが可能となっている。原稿カバー３１は、ＭＦＰ１０の天板として設けられている。その原稿カバー３１の下側には、原稿を載置するための載置用ガラス板３３（本発明の原稿載置部に相当）が設けられている。載置用ガラス板３３の下側には、載置用ガラス板３３上に載置されている原稿の画像を読み取る原稿読取センサ（非図示）が設けられている。
【００２６】
操作キー４０は、例えば、数字ボタン、スタートボタン、電源ボタンなどにより構成され、ＭＦＰ１０に対して各種指示を受け付ける入力インターフェースとしての機能を実現する。
【００２７】
表示部５０は、液晶ディスプレイなどにより構成されている。表示部５０は、ユーザが実行する機能を指示するための待機画面（図４（Ａ）参照、本発明の初期画面に相当）、操作手順、及び、実行中の処理の状態など各種情報を表示する。表示部５０は、後述する領域確保画面（図４（Ｂ）参照）、原稿載置画面（図４（Ｄ）参照）、及び、トレイセット画面（図４（Ｆ）参照）など、ユーザによる作業を案内する各種画面を表示する。また、表示部５０は、後述する範囲設定画面（図４（Ｂ）参照）及びプレビュ画面（図４（Ｅ）参照）など、印刷に関する設定を行うための各種画面を表示する。
【００２８】
表示部５０の上には、投影型静電容量方式のタッチパネル５２（本発明の操作部に相当）が重ねられている。タッチパネル５２は、その全域が格子状に細かく区分けされ、区分けされた単位領域毎に静電センサが配設されている。各単位領域には、座標情報が対応付けられている。ユーザの指などの入力媒体をタッチパネル５２上に接触させると、タッチパネル５２は、入力媒体の接触が検出された単位領域の座標情報を操作位置として検出し、出力する。なお、本実施形態におけるタッチパネル５２は、投影型静電容量方式のタッチパネルであるが、本発明はこれに限定されず、抵抗膜方式のタッチパネルであってもよい。
【００２９】
次に、図２を参照して、プリンタ部２０の内部構成を詳細に説明する。搬送路２４は、給紙トレイ２２の奥側（図２に示す後方）の上端部から上方且つＭＦＰ１０の前方へ曲がって、ＭＦＰ１０の背面側（後方）から正面側（前方）へ延出される。そして、搬送路２４は、後述する搬送ローラ対による挟持位置と、後述する排出ローラ対による挟持位置とを通過して、排紙トレイ２３へ通じる。給紙トレイ２２から給紙された記録用紙Ｐは、搬送路２４により下方から上方へＵターンするように案内され、後述する画像記録部２５に至る。その記録用紙Ｐは、画像記録部２５により画像記録が行われた後、ＭＦＰ１０の正面側（前方）へ搬送路２４に沿って搬送され、排紙トレイ２３に排出される。
【００３０】
以下、記録用紙Ｐまたは光ディスク媒体Ｄなどの被記録媒体が、装置正面側（前方）から排紙ローラ対による挟持位置及び搬送ローラ対による挟持位置を通過して装置背面側（後方）へ搬送される向きを第１搬送方向とし、第１搬送方向と逆向きを第２搬送方向とする。
【００３１】
画像記録部２５は、記録ヘッド６０を搭載して主走査方向（図２の紙面に垂直な方向）へ往復移動するキャリッジ６１を備えている。記録ヘッド６０は、その下面に設けられたノズルから各色のインク滴を吐出する。キャリッジ６１が主走査方向へ往復移動することにより、記録ヘッド６０が被記録媒体に対して走査され、搬送路２４に沿ってプラテン６３上を搬送される被記録媒体に画像が記録される。
【００３２】
プラテン６３は、搬送路２４の下側に記録ヘッド６０と対向して配設されている。プラテン６３は、キャリッジ６１の往復移動範囲のうち、被記録媒体が通過する中央部分に亘って配設されている。
【００３３】
搬送ローラ対は、画像記録部２５より装置背面側（後方）に設けられており、駆動ローラ７３と、駆動ローラ７３の下方に設けられたピンチローラ７４とが一体にユニット化されたものである。排出ローラ対は、画像記録部２５より装置正面側（前方）に設けられており、駆動ローラ７５と、駆動ローラ７５の上方に設けられた拍車ローラ７６とが一体にユニット化されたものである。駆動ローラ７３及び駆動ローラ７５は、図示しないモータにより駆動され、その駆動により記録用紙Ｐまたは後述するディスクトレイ７１が搬送路２４に沿って搬送される。給紙トレイ２２から給紙された記録用紙Ｐは、搬送ローラ対により挟持され、駆動ローラ７３が正転駆動されることによりプラテン６３上へ搬送される。そして、記録済みの記録用紙Ｐは、排紙ローラ対により挟持され、駆動ローラ７５が正転駆動されることにより第２搬送方向へ搬送される。また、後述するディスクトレイ７１は、駆動ローラ７５が逆転駆動されることにより第１搬送方向へ搬送される。
【００３４】
ＭＦＰ１０は、上述したように、レーベル印刷機能（本発明の印刷機能に相当）を有している。本実施形態においては、光ディスク媒体Ｄのレーベル面上に画像が印刷される場合、光ディスク媒体Ｄはディスクトレイ７１（本発明の支持部に相当）に載置されて、ディスクトレイ７１がＭＦＰ１０の開口部２１から第１搬送方向に挿入される。排出ローラ対の第１搬送方向下流側には、センサ６７が設けられ、このセンサ６７がディスクトレイ７１の挿入を検知する。なお、センサ６７の位置は、排出ローラ対の第１搬送方向下流側に限定されることなく、ディスクトレイ７１の挿入を検知可能な位置であれば種々の態様を採ることができる。
【００３５】
ディスクトレイ７１の上面には、円形状の凹みであって光ディスク媒体Ｄが装着されるディスク装着部（非図示）が設けられている。ディスクトレイ７１が第１搬送方向に、すなわち、開口部２１から搬送路２４の直線部分（図２に示す前後方向に平行な部分）に向けて挿入されると、駆動ローラ７５が逆転駆動され、ディスクトレイ７１が第１搬送方向に所定位置Ｓまで搬送される。
【００３６】
所定位置Ｓは、ディスクトレイ７１の第１搬送方向先端が、ケーシング２６、すなわち、装置背面２８から距離Ｌ１分突出した位置である。そのため、ディスクトレイ７１を搬送して光ディスク媒体Ｄのレーベル面に画像を印刷する場合、ＭＦＰ１０が設置される部屋の壁Ｗから少なくとも距離Ｌ１分だけ、ＭＦＰ１０を離して設置する必要がある。
【００３７】
ディスクトレイ７１が所定位置Ｓまで搬送されると、駆動ローラ７５の駆動が一旦停止された後、正転駆動に切り換えられる。これにより、ディスクトレイ７１が第２搬送方向に搬送され、ディスクトレイ７１に載置された光ディスク媒体Ｄが第２搬送方向に搬送されながらプラテン６３上を通る。プラテン６３上に搬送された光ディスク媒体Ｄに対して、画像記録部２５によりレーベル面上に画像が印刷される。その後、ディスクトレイ７１が排紙トレイ２３側から排出される。
【００３８】
＜電気的構成＞
本実施形態に係るＭＦＰ１０の電気的構成について、図３を参照して説明する。図３に示すように、ＭＦＰ１０は、主に、ＣＰＵ１１と、ＲＯＭ１２と、ＲＡＭ１３と、フラッシュメモリ１４と、プリンタ部２０と、スキャナ部３０と、操作キー４０と、表示部５０と、タッチパネル５２と、ネットワークインターフェース（以下、「ネットワークＩ／Ｆ」と称す）８０とを備えている。各構成要素は、バスライン１９を介して互いに接続されている。
【００３９】
ＣＰＵ１１は、ＲＯＭ１２、ＲＡＭ１３、または、フラッシュメモリ１４に記憶される固定値及びプログラムに従って、ＭＦＰ１０が有している各機能を制御し、また、バスライン１９と接続された各部を制御するものである。ＣＰＵ１１は、タッチパネル５２により出力された接触位置の座標情報を取得し、その座標情報に関連付けられた処理を実行する。また、ＣＰＵ１１は、各種画面に表示される操作ボタンまたは操作キー４０の押下が検出された時点からの経過時間を計測する。経過時間の計測については後述する。
【００４０】
ＲＯＭ１２は、ＭＦＰ１０において実行される制御プログラム１２０などを格納する書き換え不能なメモリである。ＣＰＵ１１は、制御プログラム１２０に従い、図５に示すフローチャートに従うレーベル印刷処理を実行する。
【００４１】
ＲＡＭ１３は、書き換え可能な揮発性のメモリであり、各種データを一時的に記憶するためのメモリである。ＲＡＭ１３には、例えば、後述する範囲設定画面（図４（Ｃ）参照）において設定された第１設定情報及びプレビュ画面（図４（Ｅ）参照）において設定された第２設定情報など、ユーザ操作により入力された各種情報が記憶される。また、ＲＡＭ１３には、現在表示部５０に表示中の画面に基づく画面データを示す画面識別情報が記憶されている。本実施形態における第１設定情報及び第２設定情報は本発明の設定情報の一例であり、範囲設定画面及びプレビュ画面は本発明の印刷設定画面の一例である。第１及び第２設定情報については後述する。
【００４２】
ＲＡＭ１３は、印刷データメモリ１３０（本発明の印刷データ記憶部に相当）を有している。印刷データメモリ１３０は、スキャナ部３０により読み取られた印刷データが記憶されるメモリ領域である。印刷データメモリ１３０には、後述するプレビュ画面（図４（Ｅ）参照）に表示されるプレビュ画像４９に基づくプレビュ印刷データ（本発明の画像データに相当）と、後述するレーベル印刷処理（図５参照）において光ディスク媒体Ｄのレーベル面に印刷される画像に基づく印刷データとが記憶されている。
【００４３】
フラッシュメモリ１４は、書き換え可能な不揮発性のメモリである。コピー機能、スキャン機能、及び、プリンタ機能などの各種機能に関するパラメータなどがフラッシュメモリ１４に記憶されている。
【００４４】
フラッシュメモリ１４は、画面データメモリ１４０を有している。画面データメモリ１４０は、表示部５０に表示される各種画面に基づく画面データが記憶されるメモリ領域である。表示部５０に表示される各種画面は、例えば、待機画面（図４（Ａ）参照）、領域確保画面（図４（Ｂ）参照）、範囲設定画面（図４（Ｃ）参照）、原稿載置画面（図４（Ｄ）参照）、プレビュ画面（図４（Ｅ）参照）、及び、トレイセット画面（図４（Ｆ）参照）である。各画面の詳細は後述する。画面データメモリ１４０には、各画面データと、各画面に表示される各種操作ボタンの座標情報と、そのボタンに関連付けられた処理とが、各画面識別情報に関連付けて記憶されている。なお、各種操作ボタンに関連付けられた処理とは、各機能の実行に必要な設定値を入力または変更する処理、または、ＭＦＰ１０が有する各種機能を実行する処理などである。例えば、図４（Ｂ）に示す領域確保画面の場合、ＯＫボタン４５及びキャンセルボタン４７の座標情報と、ＯＫボタン４５及びキャンセルボタン４７に関連付けられた処理とが、それぞれ領域確保画面に基づく画面データ（以下、「領域確保画面データ」と称す）とその画面識別情報とに関連付けられてフラッシュメモリ１４に記憶されている。
【００４５】
ネットワークＩ／Ｆ８０は、ＭＦＰ１０をＬＡＮ（Ｌｏｃａｌ  Ａｒｅａ  Ｎｅｔｗｏｒｋ）４に接続し、例えば、ＰＣ９０との間で種々のデータの送受信を実行する。なお、ＭＦＰ１０とＰＣ９０などとの接続方法は、ＬＡＮ４に限定されるものではなく、ＵＳＢ接続やパラレル接続であってもよい。
【００４６】
＜実施形態の動作＞
本実施形態に係るＭＦＰ１０の動作について、図４及び図５を参照して詳細に説明する。本実施形態におけるＭＦＰ１０は、給紙トレイ２２に積載された記録用紙Ｐに画像を印刷する通常印刷機能と、光ディスク媒体Ｄのレーベル面に画像を印刷するレーベル印刷機能とを有している。本実施形態では、ＭＦＰ１０の電源投入時または各種機能の実行終了時などにおいて、図４（Ａ）に示す待機画面が表示部５０に表示されている。待機画面（本発明の初期画面に相当）は、図４（Ａ）に示すように、コピーボタン４１、スキャンボタン４２、及び、レーベル印刷ボタン４３を有している。待機画面が表示部５０に表示された状態において、各操作ボタン４１〜４３への入力媒体による接触が検出されると、各操作ボタン４１〜４３に対応する機能が実行される。
【００４７】
（通常印刷処理）
通常印刷機能に基づく印刷に係る通常印刷処理について説明する。本実施形態では、通常印刷処理として、ユーザが載置用ガラス板３３上に載置した原稿に基づく画像を記録用紙Ｐに印刷する場合を例に挙げて説明する。すなわち、コピー機能の実行により、給紙トレイ２２に積載された記録用紙Ｐに画像を印刷する通常印刷処理を例に挙げて説明する。
【００４８】
ＣＰＵ１１は、待機画面（図４（Ａ）参照）においてユーザによるコピーボタン４１の押下、すなわち、入力媒体によるコピーボタン４１への接触が検出された場合に、原稿載置画面（図４（Ｄ）参照）を表示部５０に表示する。原稿載置画面（本発明の載置情報に相当）は、図４（Ｄ）に示すように、原稿を載置用ガラス板３３上に載置してＯＫボタン４５を押下することをユーザに案内する画面である。原稿載置画面は、ＯＫボタン４５とキャンセルボタン４７とを有している。ＣＰＵ１１は、原稿載置画面を表示したときに、ＲＡＭ１３に記憶されている画面識別情報を、原稿載置画面に基づく画面データ（以下、「原稿載置画面データ」と称す）の画面識別情報に更新する。
【００４９】
原稿載置画面のＯＫボタン４５が押下されたと判断された場合、ＣＰＵ１１は、載置用ガラス板３３上に載置された原稿を読み取り、その原稿に基づく印刷データを作成して、印刷データメモリ１３０に記憶する。
【００５０】
そして、ＣＰＵ１１は、給紙トレイ２２から給紙した記録用紙Ｐを、搬送路２４により下方から上方へＵターンするように案内して、画像記録部２５まで搬送する。ＣＰＵ１１は、搬送路２４に沿って第２搬送方向へ搬送しつつ、印刷データメモリ１３０に記憶されている印刷データに基づいて、画像記録部２５まで搬送された記録用紙Ｐに対して画像を印刷する。そして、ＣＰＵ１１は、印刷された記録用紙Ｐを搬送路２４に沿って第２搬送方向へ搬送し、排紙トレイ２３に排出して、通常印刷処理を終了する。この通常印刷処理においては、記録用紙Ｐが装置背面２８から後方に突出して搬送されることはない。
【００５１】
（レーベル印刷処理）
図５を参照して、ＣＰＵ１１により実行されるレーベル印刷処理について説明する。このレーベル印刷処理は、レーベル印刷機能に基づく印刷に係る処理である。本実施形態では、レーベル印刷処理として、ユーザが載置用ガラス板３３上に載置した原稿に基づく画像を光ディスク媒体Ｄのレーベル面に印刷する場合を例に挙げて説明する。レーベル印刷処理は、ＣＰＵ１１が、ユーザによる操作に従って、レーベル印刷機能の実行指示を受け付けた（本発明の実行指示受付手段に相当）ときに開始される処理である。具体的には、ＣＰＵ１１が、表示部５０に待機画面（図４（Ａ）参照）が表示された状態において、ユーザによりレーベル印刷ボタン４３が押下されたと判断した場合に開始される。
【００５２】
本実施形態において、各種画面に表示される操作ボタンまたは操作キー４０の押下が検出されると、ＣＰＵ１１は、その時点からの経過時間の計測を開始する。そして、新たに操作ボタンまたは操作キー４０の押下が検出されると、ＣＰＵ１１は、計測中の経過時間をリセットし、新たに押下を検出した時点からの経過時間の計測を開始する。計測された経過時間はＲＡＭ１３に記憶され、随時更新される。したがって、レーベル印刷処理開始時には、レーベル印刷ボタン４３の押下に伴い、その時点からの経過時間の計測が開始される。
【００５３】
ＣＰＵ１１は、図４（Ｂ）に示す領域確保画面（本発明の領域確保情報に相当）を表示部５０に表示する（ステップ５００、以下、ステップをＳと記す）。具体的には、ＣＰＵ１１は、領域確保画面に基づく画面データ（以下、「領域確保画面データ」と称す）を画面データメモリ１４０から読み出し、領域確保画面データに基づいて領域確保画面を表示部５０に表示する。領域確保画面は、図４（Ｂ）に示すように、装置背面２８から後方に距離Ｌ１以上の領域（本発明の所定の領域に相当、以下、「背面スペース」と称す）を確保してＯＫボタン４５を押下することをユーザに案内する画面である。領域確保画面は、ＯＫボタン４５とキャンセルボタン４７とを有している。Ｓ５００において、ＣＰＵ１１は、ＲＡＭ１３に記憶されている画面識別情報を、領域確保画面データの画面識別情報に更新する。
【００５４】
ＣＰＵ１１は、領域確保画面の操作ボタンが押下されたか否かを判断する（Ｓ５０２）。すなわち、ＣＰＵ１１は、領域確保画面に表示されているＯＫボタン４５またはキャンセルボタン４７への入力媒体による接触が検出されたか否かを判断する。領域確保画面の操作ボタンが押下されていないと判断された場合（Ｓ５０２：ＮＯ）、ＣＰＵ１１は、最近の操作ボタンの押下から所定時間が経過したか否かを判断する（Ｓ５０４）。具体的に、ＣＰＵ１１は、操作ボタンの押下が検出されてからの経過時間をＲＡＭ１３から読み出し、読み出した経過時間が所定時間以上か否かを判断する。Ｓ５０４において、ＲＡＭ１３から読み出された経過時間は、レーベル印刷処理開始時に計測開始された、レーベル印刷ボタン４３の押下からの経過時間である。操作ボタンの押下から所定時間経過していないと判断された場合（Ｓ５０４：ＮＯ）、ＣＰＵ１１はステップ処理をＳ５０２へ移行する。操作ボタンの押下から所定時間経過したと判断された場合（Ｓ５０４：ＹＥＳ）、ＣＰＵ１１はステップ処理をＳ５４８へ移行する。
【００５５】
領域確保画面の操作ボタンが押下されたと判断された場合（Ｓ５０２：ＹＥＳ）、ＣＰＵ１１は、押下が検出された操作ボタンがＯＫボタン４５であるか否かを判断する（Ｓ５０６）。具体的に、ＣＰＵ１１は、接触が検出された接触位置の座標情報が、領域確保画面データに関連付けて画面データメモリ１４０に記憶されているＯＫボタン４５の座標情報に一致するか否かを判断する。本実施形態において、操作ボタンの座標情報に一致するとは、接触が検出された接触位置の座標情報が、操作ボタンの座標領域に含まれることを意味する。押下が検出された操作ボタンがＯＫボタン４５でない、すなわち、キャンセルボタン４７であると判断された場合（Ｓ５０６：ＮＯ）、ＣＰＵ１１はステップ処理をＳ５４８へ移行する。
【００５６】
押下が検出された操作ボタンがＯＫボタン４５であると判断された場合（Ｓ５０６：ＹＥＳ）、ＣＰＵ１１は、Ｓ５００と同様にして、図４（Ｃ）に示す範囲設定画面（本発明の第１印刷設定画面に相当）を表示部５０に表示する（Ｓ５０８）。本実施形態では、領域確保画面が表示されると、ユーザによりＭＦＰ１０を移動させるなどの操作が行われる。そして、ユーザが目視などにより背面スペースを確保したと判断した場合に、ユーザにより、領域確保画面に表示されているＯＫボタン４５が押下される。すなわち、Ｓ５０６において、ＯＫボタン４５の押下を検出した場合（Ｓ５０６：ＹＥＳ）に、ＣＰＵ１１は、背面スペースが確保されたと判断する。
【００５７】
範囲設定画面は、図４（Ｃ）に示すように、光ディスク媒体Ｄのレーベル面における印刷範囲を設定するための画面である。具体的には、ユーザにより光ディスク媒体Ｄの外径及び内径の大きさ（図４（Ｃ）に示す数値）が設定される画面である。範囲設定画面に表示される矢印ボタン（図４（Ｃ）参照）をユーザが押下することにより、光ディスク媒体Ｄの外径及び内径の大きさが増減する。光ディスク媒体Ｄには、種々の規定サイズ（例えば直径１２０ｍｍまたは８０ｍｍ）がある。また、同一規定サイズであっても印刷範囲の大きさが異なる光ディスク媒体Ｄも多い。よって、レーベル印刷機能に基づく印刷を実行するためには、ユーザが印刷を所望する光ディスク媒体Ｄの印刷範囲を設定する必要がある。本実施形態では、範囲設定画面において、ユーザが印刷を所望する光ディスク媒体Ｄの印刷範囲が設定される。範囲設定画面は、矢印ボタンの他に、ＯＫボタン４５とキャンセルボタン４７とを有している。Ｓ５０８において、ＣＰＵ１１は、ＲＡＭ１３に記憶されている画面識別情報を、範囲設定画面に基づく画面データの画面識別情報に更新する。
【００５８】
ＣＰＵ１１は、範囲設定画面の操作ボタンが押下されたか否かを判断する（Ｓ５１０）。すなわち、ＣＰＵ１１は、範囲設定画面に表示されているＯＫボタン４５、キャンセルボタン４７、または、矢印ボタンへの入力媒体による接触が検出されたか否かを判断する。範囲設定画面の操作ボタンが押下されていないと判断された場合（Ｓ５１０：ＮＯ）、ＣＰＵ１１は、Ｓ５０４と同様に、最近の操作ボタンの押下から所定時間が経過したか否かを判断する（Ｓ５１２）。最近の操作ボタンの押下から所定時間経過していないと判断された場合（Ｓ５１２：ＮＯ）、ＣＰＵ１１はステップ処理をＳ５１０へ移行する。最近の操作ボタンの押下から所定時間経過したと判断された場合（Ｓ５１２：ＹＥＳ）、ＣＰＵ１１はステップ処理をＳ５４８へ移行する。
【００５９】
範囲設定画面の操作ボタンが押下されたと判断された場合（Ｓ５１０：ＹＥＳ）、ＣＰＵ１１は、Ｓ５０６と同様に、押下が検出された操作ボタンがＯＫボタン４５であるか否かを判断する（Ｓ５１４）。押下が検出された操作ボタンがＯＫボタン４５でないと判断された場合（Ｓ５１４：ＮＯ）、ＣＰＵ１１は、押下が検出された操作ボタンがキャンセルボタン４７であるか否かを判断する（Ｓ５１６）。押下が検出された操作ボタンがキャンセルボタン４７でない、すなわち、矢印ボタンであると判断された場合（Ｓ５１６：ＮＯ）、ＣＰＵ１１は、その矢印ボタンに応じて、範囲設定画面に表示される光ディスク媒体Ｄの外径または内径の大きさを増減する。そして、ＣＰＵ１１は、ステップ処理をＳ５１０へ移行する。押下が検出された操作ボタンがキャンセルボタン４７であると判断された場合（Ｓ５１６：ＹＥＳ）、ＣＰＵ１１はステップ処理をＳ５４８へ移行する。
【００６０】
押下が検出された操作ボタンがＯＫボタン４５であると判断された場合（Ｓ５１４：ＹＥＳ）、ＣＰＵ１１は、Ｓ５００と同様にして、原稿載置画面（図４（Ｄ）参照）を表示部５０に表示する（Ｓ５１８）。本実施形態では、Ｓ５１８において、ＯＫボタン４５の押下を検出した場合（Ｓ５１８：ＹＥＳ）、ＣＰＵ１１は、ユーザによる光ディスク媒体Ｄの印刷範囲の設定が完了した判断する。Ｓ５１８において、ＣＰＵ１１は、ＯＫボタン４５の押下が検出された時点で範囲設定画面に表示されている光ディスク媒体Ｄの外径及び内径の大きさを取得し、光ディスク媒体Ｄに関する第１設定情報としてＲＡＭ１３に記憶する。Ｓ５１８において、ＣＰＵ１１は、ＲＡＭ１３に記憶されている画面識別情報を、原稿載置画面データの画面識別情報に更新する。
【００６１】
ＣＰＵ１１は、Ｓ５０２と同様に、原稿載置画面の操作ボタンが押下されたか否かを判断する（Ｓ５２０）。原稿載置画面の操作ボタンが押下されていないと判断された場合（Ｓ５２０：ＮＯ）、ＣＰＵ１１は、Ｓ５０４と同様に、最近の操作ボタンの押下から所定時間が経過したか否かを判断する（Ｓ５２２）。最近の操作ボタンの押下から所定時間経過していないと判断された場合（Ｓ５２２：ＮＯ）、ＣＰＵ１１はステップ処理をＳ５２０へ移行する。最近の操作ボタンの押下から所定時間経過したと判断された場合（Ｓ５２２：ＹＥＳ）、ＣＰＵ１１はステップ処理をＳ５４８へ移行する。
【００６２】
原稿載置画面の操作ボタンが押下されたと判断された場合（Ｓ５２０：ＹＥＳ）、ＣＰＵ１１は、Ｓ５０６と同様に、押下が検出された操作ボタンがＯＫボタン４５であるか否かを判断する（Ｓ５２４）。押下が検出された操作ボタンがＯＫボタン４５でないと判断された場合（Ｓ５２４：ＮＯ）、ＣＰＵ１１はステップ処理をＳ５０８へ移行する。原稿載置画面に表示されているキャンセルボタン４７が押下された場合は、ユーザが範囲設定画面における光ディスク媒体Ｄの印刷範囲の設定を誤った場合であることが多い。本実施形態では、原稿載置画面に表示されているキャンセルボタン４７の押下が検出された場合に、再度、範囲設定画面が表示されるため（Ｓ５０８）、レーベル印刷処理の実行におけるユーザの利便性を向上させることができる。
【００６３】
押下が検出された操作ボタンがＯＫボタン４５であると判断された場合（Ｓ５２４：ＹＥＳ）、ＣＰＵ１１は、載置用ガラス板３３上に載置された原稿を読み取り、プレビュ印刷データを作成して印刷データメモリ１３０に記憶する（Ｓ５２６）。プレビュ印刷データは、現在の印刷設定に基づいて印刷を行った場合の印刷イメージを示す画像データであり、後述するＳ５２６において読み取られた画像データより低い解像度の画像データである。本実施形態において、現在の印刷設定は、前回のレーベル印刷処理において設定された設定情報である。ただし、本発明はこれに限定されず、例えば、予めフラッシュメモリ１４に記憶されている設定情報など、種々の態様を採用できる。プレビュ印刷データに基づくプレビュ画像４９は、後述するプレビュ画面（図４（Ｅ）参照）に表示される。本実施形態では、Ｓ５２４において、ＯＫボタン４５の押下を検出した場合（Ｓ５２４：ＹＥＳ）、ＣＰＵ１１は、原稿が載置用ガラス板３３に載置されたと判断する。
【００６４】
ＣＰＵ１１は、Ｓ５００と同様にして、図４（Ｅ）に示すプレビュ画面（本発明の第２印刷設定画面に相当）を表示部５０に表示する（Ｓ５２８）。プレビュ画面は、Ｓ５２６で作成されたプレビュ画像４９が表示される画面である。図４（Ｅ）に示すように、プレビュ画面に表示されるプレビュ画像４９内には、光ディスク媒体Ｄを示す円形の図形が表示される。プレビュ画像４９のうち、この円形の図形内に表示される領域が、実際に光ディスク媒体Ｄのレーベル面に印刷される範囲である。プレビュ画面に表示される４つの矢印ボタン（図４（Ｅ）参照）をユーザが押下することにより、プレビュ画像４９が上下左右方向に移動される。これにより、ユーザは、プレビュ画像４９のうち、印刷を所望する領域を印刷範囲として設定できる。プレビュ画面は、矢印ボタンの他に、ＯＫボタン４５とキャンセルボタン４７とを有している。Ｓ５２８において、ＣＰＵ１１は、ＲＡＭ１３に記憶されている画面識別情報を、プレビュ画面に基づく画面データの画面識別情報に更新する。
【００６５】
ＣＰＵ１１は、プレビュ画面の操作ボタンが押下されたか否かを判断する（Ｓ５３０）。すなわち、ＣＰＵ１１は、プレビュ画面に表示されているＯＫボタン４５、キャンセルボタン４７、または、矢印ボタンへの入力媒体による接触が検出されたか否かを判断する。プレビュ画面の操作ボタンが押下されていないと判断された場合（Ｓ５３０：ＮＯ）、ＣＰＵ１１は、Ｓ５０４と同様に、最近の操作ボタンの押下から所定時間が経過したか否かを判断する（Ｓ５３２）。最近の操作ボタンの押下から所定時間経過していないと判断された場合（Ｓ５３２：ＮＯ）、ＣＰＵ１１はステップ処理をＳ５３０へ移行する。最近の操作ボタンの押下から所定時間経過したと判断された場合（Ｓ５３２：ＹＥＳ）、ＣＰＵ１１はステップ処理をＳ５４８へ移行する。
【００６６】
プレビュ画面の操作ボタンが押下されたと判断された場合（Ｓ５３０：ＹＥＳ）、ＣＰＵ１１は、Ｓ５０６と同様に、押下が検出された操作ボタンがＯＫボタン４５であるか否かを判断する（Ｓ５３４）。押下が検出された操作ボタンがＯＫボタン４５でないと判断された場合（Ｓ５３４：ＮＯ）、ＣＰＵ１１は、Ｓ５１６と同様に、押下が検出された操作ボタンがキャンセルボタン４７であるか否かを判断する（Ｓ５３６）。押下が検出された操作ボタンがキャンセルボタン４７でないと判断された場合（Ｓ５３６：ＮＯ）、ＣＰＵ１１は、押下が検出された矢印ボタンに応じて、プレビュ画面に表示される円形の図形に対してプレビュ画像４９の位置を移動する。そして、ＣＰＵ１１はステップ処理をＳ５３０へ移行する。押下が検出された操作ボタンがキャンセルボタン４７であると判断された場合（Ｓ５３６：ＹＥＳ）、ＣＰＵ１１はステップ処理をＳ５４８へ移行する。
【００６７】
押下が検出された操作ボタンがＯＫボタン４５であると判断された場合（Ｓ５３４：ＹＥＳ）、ＣＰＵ１１は、Ｓ５００と同様にして、トレイセット画面（図４（Ｆ）参照）を表示部５０に表示する（Ｓ５３８）。本実施形態では、Ｓ５３８において、ＯＫボタン４５の押下を検出した場合（Ｓ５３８：ＹＥＳ）、ＣＰＵ１１は、ユーザによるプレビュ画像４９に基づく印刷範囲の設定が完了したと判断する。Ｓ５３８において、ＣＰＵ１１は、ＯＫボタン４５の押下が検出された時点でプレビュ画面に表示されているプレビュ画像４９に対する円形の図形の位置の座標情報を取得し、プレビュ印刷データから後述する印刷データを生成するための第２設定情報としてＲＡＭ１３に記憶する。
【００６８】
トレイセット画面は、図４（Ｆ）に示すように、光ディスク媒体Ｄをディスクトレイ７１に装着し、そのディスクトレイ７１を開口部２１から挿入して、ＯＫボタン４５を押下することをユーザに案内する画面である。トレイセット画面は、ＯＫボタン４５とキャンセルボタン４７とを有している。Ｓ５３８において、ＣＰＵ１１は、ＲＡＭ１３に記憶されている画面識別情報を、トレイセット画面に基づく画面データの画面識別情報に更新する。
【００６９】
ＣＰＵ１１は、Ｓ５０２と同様に、トレイセット画面の操作ボタンが押下されたか否かを判断する（Ｓ５４０）。トレイセット画面の操作ボタンが押下されていないと判断された場合（Ｓ５４０：ＮＯ）、ＣＰＵ１１は、Ｓ５０４と同様に、最近の操作ボタンの押下から所定時間が経過したか否かを判断する（Ｓ５４２）。最近の操作ボタンの押下から所定時間経過していないと判断された場合（Ｓ５４２：ＮＯ）、ＣＰＵ１１はステップ処理をＳ５４０へ移行する。最近の操作ボタンの押下から所定時間経過したと判断された場合（Ｓ５４２：ＹＥＳ）、ＣＰＵ１１はステップ処理をＳ５４８へ移行する。
【００７０】
トレイセット画面の操作ボタンが押下されたと判断された場合（Ｓ５４０：ＹＥＳ）、ＣＰＵ１１は、Ｓ５０６と同様に、押下が検出された操作ボタンがＯＫボタン４５であるか否かを判断する（Ｓ５４４）。押下が検出された操作ボタンがＯＫボタン４５でないと判断された場合（Ｓ５４４：ＮＯ）、ＣＰＵ１１はステップ処理をＳ５２８へ移行する。トレイセット画面に表示されているキャンセルボタン４７が押下された場合は、プレビュ画面において、ユーザがプレビュ画像４９に基づく印刷範囲の設定を誤った場合であることが多い。本実施形態では、トレイセット画面に表示されているキャンセルボタン４７の押下が検出された場合に、再度プレビュ画面が表示されるため（Ｓ５２８）、レーベル印刷処理の実行におけるユーザの利便性を向上させることができる。
【００７１】
押下が検出された操作ボタンがＯＫボタン４５であると判断された場合（Ｓ５４４：ＹＥＳ）、ＣＰＵ１１は、第２設定情報に基づいて、載置用ガラス板３３上に載置された原稿を再度読み取って作成した印刷データに従う印刷を実行する（Ｓ５４６）。本実施形態では、Ｓ５４４において、ＯＫボタン４５の押下を検出した場合（Ｓ５４４：ＹＥＳ）、ＣＰＵ１１は、光ディスク媒体Ｄが装着されたディスクトレイ７１が開口部２１から挿入されたと判断する。Ｓ５４６において、具体的に、まず、ＣＰＵ１１は、第２設定情報に基づいて、載置用ガラス板３３上に載置された原稿を再度読み取る。そして、ＣＰＵ１１は、第１設定情報及び第２設定情報に基づいて、読み取った画像データから印刷データを作成して印刷データメモリ１３０に記憶する。そして、ＣＰＵ１１は、所定位置Ｓまで搬送したディスクトレイ７１を第２搬送方向へ搬送しながら、作成した印刷データに基づいて、ディスクトレイ７１に載置された光ディスク媒体Ｄのレーベル面に画像を印刷する。そして、ＣＰＵ１１は、ディスクトレイ７１を排紙トレイ２３側へ排出する。
【００７２】
ＣＰＵ１１は、Ｓ５００と同様にして、待機画面（図４（Ａ）参照）を表示部５０に表示し（Ｓ５４８）、レーベル印刷処理を終了する。Ｓ５４８において、ＣＰＵ１１は、ＲＡＭ１３に記憶されている画面識別情報を、待機画面に基づく画面データの画面識別情報に更新する。
【００７３】
以上説明したように、本実施形態によれば、ケーシング２６、すなわち、装置背面２８からディスクトレイ７１を突出させて実行されるレーベル印刷機能の実行指示を受け付けた場合、印刷の実行に必要な背面スペースの確保を案内する領域確保画面（図４（Ｂ）参照）が表示部５０に表示される（図５に示すＳ５００参照）。領域確保画面に表示されるＯＫボタン４５の押下が検出された場合（Ｓ５０６：ＹＥＳ）、第１設定情報及び第２設定情報を設定するための範囲設定画面（図４（Ｃ）参照）及びプレビュ画面（図４（Ｅ）参照）が表示される（図５に示すＳ５０８及びＳ５２８参照）。そして、範囲設定画面及びプレビュ画面に表示されるＯＫボタン４５の押下が検出された場合（Ｓ５１４：ＹＥＳ，Ｓ５３４：ＹＥＳ）、印刷データに従う印刷が実行される（図５に示すＳ５４６参照）。
【００７４】
一般に、光ディスク媒体のレーベル面への印刷に関する設定情報の設定は、記録用紙への印刷に関する設定情報の設定に比べて、ユーザ操作が複雑であり、ユーザに係る負荷が大きい。本実施形態では、領域確保画面が表示されて背面スペースが確保された後に、第１及び第２設定情報が設定されるため、背面スペースが確保できない事態により印刷ジョブがキャンセルされた場合であっても、第１及び第２設定情報を設定するためのユーザ操作が無駄になることを抑制できる。なお、印刷ジョブは、ＣＰＵ１１が受け付けたレーベル印刷機能の実行指示に基づくレーベル印刷処理である。したがって、光ディスク媒体Ｄを支持するディスクトレイ７１をケーシング２６から突出させて印刷する場合におけるユーザの利便性を向上させることができる。
【００７５】
操作キー４０または表示部５０に表示される操作ボタンからの入力が検出されてから所定時間以内に新たな入力が検出されない場合、待機画面（図４（Ａ）参照）が表示部５０に表示される（図５に示すＳ５０４、Ｓ５１２、Ｓ５２２、Ｓ５３２、Ｓ５４２参照）。このように構成されることにより、例えば、複数人により１台のＭＦＰ１０が使用されている場合などにおいて、ユーザの利便性を向上させることができる。具体的に、本実施形態では、例えば、ユーザがＭＦＰ１０の前から離れた場合など、あるユーザにより入力操作がなされてから所定時間以内に入力操作がなされない場合に待機画面が表示される。これにより、別のユーザがＭＦＰ１０を使用する際に、待機画面が表示された状態において操作を行うことができるため、ユーザの利便性が高くなる。
【００７６】
また、本実施形態では、レーベル印刷の実行指示を受け付けてから、装置を移動させるなどして、背面スペースを確保させるまでに所定時間を超えた場合、表示部５０の表示が領域確保画面（図４（Ｂ）参照）から待機画面に遷移する（図５に示すＳ５０４参照）。係る場合であっても、領域確保画面が表示されて背面スペースが確保されてから第１及び第２設定情報が設定されるため、第１及び第２設定情報を設定するためのユーザ操作が無駄になることを抑制できる。したがって、ユーザの利便性を向上させることができる。
【００７７】
領域確保画面に表示されるＯＫボタン４５の押下が検出された場合（Ｓ５０６：ＹＥＳ）、背面スペースが確保されたと判断された場合、原稿載置画面（図４（Ｄ）参照）が表示部５０に表示される（図５に示すＳ５１８参照）。そして、原稿載置画面に表示されるＯＫボタン４５の押下が検出された場合（Ｓ５２４：ＹＥＳ）、その原稿を読み取り、読み取った原稿に基づいて印刷データが生成される（図５に示すＳ５４６参照）。
【００７８】
これにより、例えば、原稿の読み取りが実行された後に、背面スペースが確保できない事態により印刷ジョブがキャンセルされた場合であっても、原稿の載置に関するユーザ操作及び原稿の読み取りに係る処理が無駄になることを抑制できる。したがって、光ディスク媒体Ｄを支持するディスクトレイ７１をケーシング２６から突出させて印刷する場合におけるユーザの利便性をさらに向上させることができる。
【００７９】
印刷に関する設定情報には、光ディスク媒体Ｄに関する第１設定情報と、プレビュ印刷データから印刷データを生成するための第２設定情報とがある。領域確保画面に表示されるＯＫボタン４５の押下が検出された場合（Ｓ５０６：ＹＥＳ）、第１設定情報を設定するための範囲設定画面（図４（Ｃ）参照）が表示部５０に表示される（図５に示すＳ５０８参照）。範囲設定画面に表示されるＯＫボタン４５の押下が検出された場合（Ｓ５１４：ＹＥＳ）、原稿載置画面が表示部５０に表示される（図５に示すＳ５１８参照）。そして、原稿が読み取られた場合に、第２設定情報を設定するためのプレビュ画面（図４（Ｅ）参照）が表示部５０に表示される（図５に示すＳ５２６〜Ｓ５２８参照）。
【００８０】
一般に、プレビュ印刷データから印刷データを生成するための第２設定情報の設定は、光ディスク媒体Ｄに関する第１設定情報の設定に比べて、ユーザ操作が複雑であり、ユーザに係る負荷が大きい。本実施形態では、領域確保画面及び原稿載置画面が表示された後にプレビュ画面が表示されるので、背面スペースの確保または原稿の載置の際に印刷ジョブがキャンセルされた場合であっても、第２設定情報を設定するための複雑なユーザ操作が無駄になることを抑制できる。また、領域確保画面の表示及び第１設定情報の設定後に原稿載置画面が表示されるので、背面スペースの確保または第１設定情報の設定の際に印刷ジョブがキャンセルされた場合であっても、原稿の載置に関するユーザ操作及び原稿の読み取りに係る処理が無駄になることを抑制できる。したがって、光ディスク媒体Ｄを支持するディスクトレイ７１をケーシング２６から突出させて印刷する場合におけるユーザの利便性をより向上させることができる。
【００８１】
＜変形例＞
以上、本発明の一実施形態について説明したが、本発明は上記実施形態に限定されるものではなく、本発明の要旨を逸脱しない範囲内で種々の態様を採ることができる。
【００８２】
本実施形態では、本発明の支持部を筐体から突出させて印刷する印刷機能として、装置背面２８から後方に距離Ｌ１分突出した所定位置Ｓまでディスクトレイ７１の第１搬送方向先端を突出させて光ディスク媒体Ｄへの印刷を実行するレーベル印刷機能を例に挙げて説明した。しかしながら、本発明はこれに限定されるものではなく、種々の態様を採用できる。例えば、ＭＦＰ１０の前後方向に平行に設けられた搬送路であるストレートパスを使用し、厚紙などの被記録媒体に対して印刷する機能（以下、「ストレートパス印刷機能」と称す）などに基づく印刷を実行可能なＭＦＰ１０にも適用可能である。本実施形態では、通常印刷機能は装置背面２８から後方に距離Ｌ１分の間隔を必要としない印刷機能であるが、この通常印刷機能に代えて、後述のストレートパス印刷機能を採用してもよい。係る場合、レーベル印刷機能及びストレートパス印刷機能の両機能が、装置背面２８から後方に距離Ｌ１分の突出動作を必要とする。
【００８３】
（ストレートパス印刷機能）
ストレートパス印刷機能に基づく印刷は、開口部２１から被記録媒体が挿入されると、装置背面２８に設けられたストレートパスの排紙口までストレートパスに沿って搬送されながら印刷が行われる。すなわち、ＭＦＰ１０が部屋の壁Ｗに接している場合、排紙口から印刷済みの被記録媒体を取り出すことは困難である。一般に、ストレートパスの排紙口はカバーなどで覆われており、カバーを開いた状態において、そのカバーが排紙トレイ（本発明の支持部に相当）の役割を担うように構成されているものが多い。なお、以下で説明するストレートパス印刷機能に基づく印刷を実行可能なＭＦＰ１０は、排紙口を覆うカバーを備えているとする。
【００８４】
ストレートパス印刷機能に基づく印刷を実行可能なＭＦＰ１０に本発明が適用される場合、例えば、操作キー４０または表示部５０にストレートパス印刷機能の実行指示を受け付けるボタンを設け、ＣＰＵ１１は、そのボタンの押下を検出した場合に、図５に示すレーベル印刷処理と同様のストレートパス印刷処理を開始すればよい。ＣＰＵ１１は、範囲設定画面（図４（Ｃ）参照）及びプレビュ画面（図４（Ｅ）参照）を表示させなくてもよく、図５のＳ５０８〜Ｓ５１６及びＳ５２８〜Ｓ５３６の処理をスキップする。そして、図５に示すＳ５３８において、トレイセット画面の代わりに、例えば、「被記録媒体を開口部２１から挿入してください」のような被記録媒体の挿入を案内する画面を表示部５０に表示すればよい。
【００８５】
これにより、領域確保画面が表示されて背面スペースが確保された後に、第１及び第２設定情報が設定されるため、背面スペースが確保できない事態により印刷ジョブがキャンセルされた場合であっても、第１及び第２設定情報を設定するためのユーザ操作が無駄になることを抑制できる。また、領域確保画面が表示されて背面スペースが確保された後に、原稿載置画面が表示されるため、原稿の読み取りの実行後に、背面スペースが確保できない事態により印刷ジョブがキャンセルされた場合であっても、原稿の載置に関するユーザ操作及び原稿の読み取りに係る処理が無駄になることを抑制できる。したがって、光ディスク媒体Ｄを支持するディスクトレイ７１をケーシング２６から突出させて印刷する場合におけるユーザの利便性を向上させることができる。
【００８６】
（その他の変形例）
本実施形態では、本発明の画像形成装置としてＭＦＰ１０を例に挙げて説明した。しかしながら本発明はこれに限定されるものではなく、例えば、レーベル印刷機能、ストレートパス印刷機能など、被記録媒体を支持する支持部を筐体から突出させて印刷する印刷機能を実行可能な装置であれば、種々の態様を採用することができる。
【００８７】
本実施形態では、図５に示すレーベル印刷処理において、領域確保画面（図４（Ｂ）参照）が表示部５０に表示された後、原稿載置画面（図４（Ｄ）参照）が表示され、その後、トレイセット画面（図４（Ｆ）参照）が表示されていた。しかしながら、本発明はこれに限定されず、種々の態様を採ることができる。例えば、領域確保画面が表示された後に、トレイセット画面が表示され、その後、原稿載置画面が表示されてもよい。係る場合、ＣＰＵ１１は、図５に示すＳ５０６の処理を実行した後にＳ５３８〜Ｓ５４４の処理を実行し、Ｓ５０８以降の処理を実行すればよい。このとき、トレイセット画面に表示されるＯＫボタン４５の押下を検出されていないと判断された場合（Ｓ５４４：ＮＯ）、ＣＰＵ１１はＳ５４８へステップ処理を移行する。
【００８８】
すなわち、ＣＰＵ１１が待機画面（図４（Ａ）参照）においてレーベル印刷機能の実行指示を受け付けた場合、領域確保画面（図４（Ｂ）参照）、トレイセット画面（図４（Ｆ）参照）、範囲設定画面（図４（Ｃ）参照）、原稿載置画面（図４（Ｄ）参照）、プレビュ画面（図４（Ｅ）参照）の順に表示部５０に表示される。これにより、領域確保画面、トレイセット画面、及び、原稿載置画面が表示された後にプレビュ画面が表示されるので、背面スペースの確保、ディスクトレイ７１の挿入、または、原稿の載置の際に印刷ジョブがキャンセルされた場合であっても、第２設定情報を設定するための複雑なユーザ操作が無駄になることを抑制できる。また、領域確保画面及びトレイセット画面が表示された後に範囲設定画面及び原稿載置画面が表示される。これにより、背面スペースの確保またはディスクトレイ７１の挿入時に印刷ジョブがキャンセルされた場合であっても、第１設定情報の設定及び原稿の載置に関するユーザ操作や原稿の読み取りに係る処理が無駄になることを抑制できる。なお、範囲設定画面が表示された後にトレイセット画面が表示されてもよい。
【００８９】
本実施形態では、レーベル印刷処理（図５参照）として、ユーザが載置用ガラス板３３上に載置した原稿に基づく画像を光ディスク媒体Ｄのレーベル面に印刷する場合を例に挙げて説明した。しかしながら、本発明はこれに限定されず、種々の態様を採用できる。例えば、メディアカードに記憶された画像データに基づく画像をレーベル面に印刷するレーベル印刷処理（以下、「メディア−レーベル印刷処理」と称す）にも本発明を適用することができる。
【００９０】
（メディア−レーベル印刷処理）
メディア−レーベル印刷処理は、例えば、コンパクトフラッシュ（登録商標）やＳＤメモリカード（登録商標）など、ＭＦＰ１０に着脱可能なメディアカードに記憶されている画像データに基づいて作成された印刷データをレーベル面に印刷する処理である。例えば、待機画面（図４（Ａ）参照）にメディアーレーベル印刷機能の実行指示を受け付けるボタンを設けておく。係る場合、ＣＰＵ１１は、そのボタンの押下を検出したときに、図５に示すレーベル印刷処理と同様のメディア−レーベル印刷処理を開始する。そして、ＣＰＵ１１は、Ｓ５１８〜Ｓ５２４の処理をスキップし、Ｓ５２６において、原稿を読み取る代わりに、メディアカードに記憶されている画像データを読み出す。そして、ユーザ所望の画像データに基づくプレビュ印刷データをプレビュ画面（図４（Ｅ）参照）に表示する（Ｓ５２８）。ＣＰＵ１１は、Ｓ５４６において、第１設定情報及び第２設定情報に基づいて、ユーザ所望の画像データから印刷データを作成し、光ディスク媒体Ｄのレーベル面に印刷データに基づく画像を印刷する。なお、メディア−レーベル印刷処理の場合、トレイセット画面（図４（Ｆ）参照）が表示された後に、範囲設定画面（図４（Ｃ）参照）及びプレビュ画面（図４（Ｅ）参照）が表示されてもよい。
【００９１】
よって、メディア−レーベル印刷処理の場合にも、領域確保画面が表示されて背面スペースが確保された後に、第１及び第２設定情報が設定される。これにより、背面スペースが確保できない事態により印刷ジョブがキャンセルされた場合であっても、第１及び第２設定情報を設定するためのユーザ操作が無駄になることを抑制できる。したがって、光ディスク媒体Ｄを支持するディスクトレイ７１をケーシング２６から突出させて印刷する場合におけるユーザの利便性を向上させることができる。
【００９２】
本実施形態では、通常印刷処理として、コピー機能の実行により、給紙トレイ２２に積載された記録用紙Ｐに画像を印刷する通常印刷処理を例に挙げて説明した。しかしながら、本発明はこれに限定されず、種々の態様を採用できる。例えば、ＰＣ９０から受信した印刷データに基づく画像を記録用紙Ｐに印刷する通常印刷処理、または、メディアカードに記憶された画像データに基づく画像を記録用紙Ｐに印刷する通常印刷処理にも本発明を適用することができる。
【００９３】
本実施形態では、図５に示すＳ５４４において、ＣＰＵ１１は、ＯＫボタン４５の押下を検出した場合に（Ｓ５４４：ＹＥＳ）、光ディスク媒体Ｄが装着されたディスクトレイ７１が開口部２１から挿入されたと判断していた。しかしながら、本発明はこれに限定されるものではなく、種々の態様を採用できる。例えば、センサ６７（図２参照）によりディスクトレイ７１が挿入されたことが検知された場合に、ＣＰＵ１１は、光ディスク媒体Ｄが装着されたディスクトレイ７１が開口部２１から挿入されたと判断してもよい。
【００９４】
また、図５に示すＳ５０６において、ＣＰＵ１１は、ＯＫボタン４５の押下を検出した場合に（Ｓ５０６：ＹＥＳ）、背面スペースが確保されたと判断していた。しかしながら、本発明はこれに限定されるものではなく、種々の態様を採用できる。例えば、装置背面２８にセンサ（非図示）が設けられている場合、そのセンサにより装置背面２８から壁Ｗまでの距離がＬ１以上であることが検知された場合、ＣＰＵ１１は、背面スペースが確保されたと判断してもよい。
【００９５】
本実施形態では、図５に示すＳ５２４において、原稿載置画面（図４（Ｄ）参照）に表示されるキャンセルボタン４７の押下が検出された場合（Ｓ５２４：ＮＯ）、ＣＰＵ１１は、範囲設定画面（図４（Ｃ）参照）を表示していた（Ｓ５０８）。しかしながら、本発明はこれに限定されず、原稿載置画面に表示されるキャンセルボタン４７の押下が検出された場合（Ｓ５２４：ＮＯ）、ＣＰＵ１１は、ステップ処理をＳ５４８へ移行し、待機画面（図４（Ａ）参照）を表示してもよい。
【００９６】
また、図５に示すＳ５４４において、トレイセット画面（図４（Ｆ）参照）に表示されるキャンセルボタン４７の押下が検出された場合（Ｓ５４４：ＮＯ）、ＣＰＵ１１は、プレビュ画面（図４（Ｅ）参照）を表示していた（Ｓ５２８）。しかしながら、本発明はこれに限定されず、トレイセット画面に表示されるキャンセルボタン４７の押下が検出された場合（Ｓ５４４：ＮＯ）、ＣＰＵ１１は、ステップ処理をＳ５４８へ移行し、待機画面（図４（Ａ）参照）を表示してもよい。
【００９７】
本実施形態では、範囲設定画面（図４（Ｃ）参照）及びプレビュ画面（図４（Ｅ）参照）に表示されるキャンセルボタン４７の押下が検出された場合（図５に示すＳ５１６：ＮＯ、Ｓ５３６：ＮＯ）、ＣＰＵ１１は、待機画面（図４（Ａ）参照）を表示していた（Ｓ５４８）。しかしながら、本発明はこれに限定されず、表示部５０に現在表示されている画面が表示される直前に表示部５０に表示されていた画面、すなわち、領域確保画面（図４（Ｂ）参照）または原稿載置画面（図４（Ｄ）参照）を表示してもよい。
【００９８】
本実施形態では、領域確保画面（図４（Ｂ）参照）、原稿載置画面（図４（Ｄ）参照）、及び、トレイセット画面（図４（Ｆ）参照）において、ユーザによる各種作業を案内するメッセージを表示していた。しかしながら、本発明はこれに限定されず、ユーザによる各種作業を案内する静止画像または動画像など、種々の態様を採用できる。
【００９９】
本実施形態では、表示部５０の上にタッチパネル５２が重ねられており、図４に示す各種画面に基づく入力指示は、入力媒体によるタッチパネルへの接触により検出されていた。しかしながら、本発明はこれに限定されず、例えば、タッチパネル５２を設けず、操作キー４０にＯＫボタン４５及びキャンセルボタン４７と同等の意義を有するキーを設けてもよい。係る場合、ＣＰＵ１１は、図４に示す各種画面に基づく入力指示として、操作キー４０からの入力を受け付ければよい。
【０１００】
本実施形態におけるレーベル印刷処理（図５参照）において、ＣＰＵ１１は、最近の操作ボタンの押下から所定時間が経過した場合に、表示部５０に表示されている画面を他の画面へ切り換えていた（Ｓ５０４、Ｓ５１２、Ｓ５２２、Ｓ５３２、Ｓ５４２参照）。しかしながら、本発明はこれに限定されず、最近の操作ボタンの押下から所定時間が経過したか否かに関わらず、表示部５０に表示中の画面を表示し続けてもよい。しかしながら、一般に、最近の操作ボタンの押下から所定時間が経過するまでに操作ボタンの押下が検出されない場合とは、ユーザが操作を中断した場合などであると考えられる。このため、本実施形態のように、最近の操作ボタンの押下から所定時間が経過した場合に画面を切り換える方が、新たに機能の実行などの操作を行う場合におけるユーザの利便性が高くなり、好適である。特に、複数人により使用されるＭＦＰ１０において、ユーザが操作を中断してＭＦＰ１０から離れた後に別のユーザがＭＦＰ１０を使用する場合に好適である。
【０１０１】
図５に示すフローチャートにおいて、Ｓ５００は本発明の領域確保表示手段、Ｓ５０６は本発明の領域判断手段、Ｓ５１８は本発明の載置表示手段、Ｓ５２４は本発明の載置判断手段に相当する。Ｓ５０８及びＳ５２８は本発明の設定表示手段の一例であり、Ｓ５０８は本発明の第１設定表示手段、Ｓ５２８は本発明の第２設定表示手段に相当する。Ｓ５１４及びＳ５３４は本発明の設定判断手段の一例であり、Ｓ５１４は本発明の第１設定判断手段に相当する。Ｓ５２６は本発明の取得手段、Ｓ５４６は本発明の記憶制御手段及び印刷手段に相当する。Ｓ５０２、Ｓ５１０、Ｓ５２０、Ｓ５３０、及び、Ｓ５４０は本発明の検出手段に相当する。Ｓ５０４、Ｓ５１２、Ｓ５２２、Ｓ５３２、及び、Ｓ５４２は本発明の表示制御手段に相当する。
【符号の説明】
【０１０２】
１０                      ＭＦＰ
１１                      ＣＰＵ
１３                      ＲＡＭ
１４                      フラッシュメモリ
２０                      プリンタ部
２１                      開口部
２２                      給紙トレイ
２３                      排紙トレイ
２４                      搬送路
２６                      ケーシング
３３                      載置用ガラス板
４０                      操作キー
４１                      コピーボタン
４３                      レーベル印刷ボタン
４５                      ＯＫボタン
４７                      キャンセルボタン
４９                      プレビュ画像
５０                      表示部
５２                      タッチパネル
７１                      ディスクトレイ
１２０                    制御プログラム
１３０                    印刷データメモリ
１４０                    画面データメモリ
Ｄ                        光ディスク媒体
Ｐ                        記録用紙
Ｓ                        所定位置
【図１】
0005246221.tif 000002
【図２】
0005246221.tif 000003
【図３】
0005246221.tif 000004
【図４】
0005246221.tif 000005
【図５】
0005246221.tif 000006